(57)【要約】      （修正有）【課題】耕作地の中耕除草を楽な姿勢で合理的に中耕と根引き除草を同時に行なえて作業の簡素化を図り、単純構造の造りにして、稲作水田の泥田の中でも容易に持ち運べ、作物の、株筋及び株間に生えている雑草類、或は畑作畝においても同様に、安全性が高く、刃先が板状の金鍬等に比べて表土の移動率を小さくして低労力化を図り、何方でも簡単にすぐ使え、スピーディーに中耕と根引き除草作業が行える、手軽な中耕用根引き除草鍬を提供する。【解決手段】立ち姿勢の作業者が持つ握り柄５の先端に柄取付金具４を介して、一定の角度をもって支持板２を設け支持板２より延設された棒状の鋤捧１を一定間隔で複数本配設し、連装鋤６を形成し、棒状の鋤捧１の先端部は土を鋤起せて且草の根が挽きかかる構造にして、地表面を浅く鋤起しながら、雑草の根を引き起し、雑草と泥及び土を分離させる。【選択図】図１
2010104243.tif 000002
【特許請求の範囲】
【請求項１】
作業者が持つ握り柄の先端に刃板部が設けられた鍬において、前記刃板部は握り柄の先端に一定の角度をもって支持板を設け支持板より延設された棒状の鋤は間隔をとり複数本配設し、連装鋤を形成したことを特徴とする中耕用根引き除草鍬。
【請求項２】
連装鋤支持板及び連装鋤の土面接触側に刃物を取り付けたことを特徴とする請求項１に記載の中耕用根引き除草鍬。
【発明の詳細な説明】
【技術分野】
【０００１】
本発明は、耕作地における作物の生育途中で何回か行われている、中耕作業の中耕と根引き除草を同時に行える中耕専用の鍬であり、刃板部が設けられた鍬において、前記刃板部は棒状の鋤棒１を櫛状に配設して連装鋤６を形成した，連装鋤６は表土の移動率を少なくして浅く鋤起し、鍬本体の上部に土を載せない為中耕作業を低労力で鍬を持ち上げる事無く連続的に行い、中耕除草においては芽生えしたての小さな雑草類は連装鋤６で鋤込み、ある程度成長した雑草類は草根を連装鋤６で引き起し、根付きの雑草類は連装鋤６で捕らえて、泥及び土と分離することができる、中耕用根引き除草鍬、に関する発明である。
【背景技術】
【０００２】
中耕とは作物の生育の途中で、根ぎわの表土を浅く耕すことであり手道具としては鍬、三角鍬等の板状の刃で表土と雑草を同時に掻き救い起して後で仕分けるか土中に埋めている、成長の過ぎた雑草は１本１本手で引き抜いている。
【０００３】
水田除草は、除草剤を使うのが一般的であるが、稲作水田用の除草剤は色々市販されていますが、除草効果を上げる為には水管理及び気温等々の一定の条件を全て満たさないと除草効果が得られず、水田全体及び一部分に稗等の雑草が異常に発生して、時間と手間を掛けた、手作業による除草作業を屈む姿勢で余儀なく行われている。
【０００４】
元来の金鍬は田畑を耕すほか、中耕・除草・作畦など万能性はあるが稲作水田の水中での中耕除草において三角鍬等も同様に、刃先が板状のため水の影響を受けやすく方向性の維持が困難で定植の稲苗を傷める事もあり使用例は殆ど無く、手作業による除草作業を行っている、また刃先が板状の鍬類は中耕及び中耕除草作業において表土を掻き救い起し刃板の上に載せられた土は鍬を持ち上げてはらい落とす必要があり、２工程の繰り返し作業になる、又表土の移動率が大きく重労働になり熟練性も要し、確実に根引き除草を行うには手間がかかる。
【発明の開示】
【発明が解決しようとする課題】
【０００５】
しかし、上記の様に、耕作地で草を手で引いて除草するには、手間と、腰曲げ姿勢や、しゃがむ姿勢が負担となり、水田の稲作と畑作畝の雑草管理には限界すら感じられる。
【０００６】
上記の問題を鑑み、本願発明の目的とするところは、耕作地の中耕作業を楽な姿勢で合理的に中耕と根引き除草を同時に行なえて作業の簡素化を図り、単純構造の造りにして、稲作水田の泥田の中でも容易に持ち運べ、作物の、株筋及び株間に生えている雑草類、或は畑作畝においても同様に、安全性が高く、刃先が板状の金鍬等に比べて表土の移動率を小さくして低労力化を図り、何方でも簡単にすぐ使え、スピーディーに中耕と根引き除草
作業が行える、手軽な中耕用根引き除草鍬を提供する事にある。
【課題を解決するための手段】
【０００７】
上記の課題を解決し、その目的を果すため請求項１記載の発明は、図１に示す様に作業者が持つ握り柄の先端に刃板部が設けられた鍬において、前記刃板部は握り柄５の先端に柄取付金具４を介して、一定の角度をもって支持板２を設け支持板２より延設された棒状の鋤棒１は間隔をとり複数本配設し、連装鋤６を形成した、図５に示す様に棒状の鋤捧１の先端部は土を鋤起せて且草の根が挽きかかる構造にして、地表面を浅く鋤起しながら、雑草の根を引き起し、雑草と泥及び土を分離させることを特徴とする中耕用根引き除草鍬，をその要旨とした。
【０００８】
請求項２記載の発明は、請求項１に係る手段において、スギナ、等の直根が深い雑草において、図１に示す様に、支持板２及び連装鋤６の土面接触側に刃物８を取り付けた、連装鋤６先端で捕らえにくい、雑草類はこの刃で切断することをその要旨とした。
【発明の効果】
【０００９】
稲作水田の水中中耕除草等の効果について、本発明の中耕用根引き除草鍬は普通の鍬と同様に稲作の水田の泥田の中でも容易に持ち運べ、握り柄５を手で持って、後方へ引くだけで、楽に中耕除草が出来ますので、一度に複数本の除草が可能であり、稗等の一年性雑草また、ホタルイ、うりかわ、匐枝を延ばして繁殖するセリ、根茎を地中長く横走するヒルムシロ、など厄介な多年性の密生雑草も、本体の移動分、根付き雑草を一網打尽に引き上げる事が出来る。
【００１０】
図１に示す様に、支持板２より取り付けた握り柄５を後方に引く事により、水中の除草作業において連装鋤６が櫛状である為、安定した方向性を保ち、雑草と、泥、水、の分離制が極めて良い、又雑草を根から引き起こす際  泥、水は鋤捧１の間をすり抜け、刃板部を有する鍬等と比べて表土の移動率が、連装鋤６の構造が櫛状である為、極めて小さい、したがって作業労力を軽減します、引き起された泥付の根付雑草は水で洗われ、畑作畝の土は鋤棒１の間で篩い落とされ、泥及び土の付着が極めて少ないため、回収、水田よりの搬出と後処理が容易である。
【００１１】
畑の畑作畝の除草等の効果について、本中耕用根引き除草鍬は、畑作畝の中耕除草においても畝の土がある程度乾燥した条件下で上記の水田除草と同様の効果が得られ、作物を傷めずに根元付近及び、作物保護ガイド３により作物の株間の挿入も容易で、スピーディーに中耕除草が出来る、畑作畝によく見られる、スギナ、等の直根が太く深い雑草においては、図１に示す指示板２の土面接触側に、刃物８を取り付け連装鋤６で捕らえにくい草根類は地面をそぐ様になり切断する事で切り残しが地面から突き出る事もなく、手軽にきれいな除草が行える、畑作畝を本中耕用根引き除草鍬で雑草のみを抜き取ることは勿論であるが、作物が植わっている畝全体の表面を本中耕除草鍬で中耕する事により二番草の発生を抑止すると共に作物の根に対して空気の疎通をよくし、根の吸収・呼吸作用を促進し、作物の発育伸長を助長する。
【００１２】
本中耕用根引き除草鍬は安全性も提供する、水田の除草作業は、腰を曲げての俯き作業での苦痛な作業姿勢となり、顔が稲に接近して鋭利な葉先で顔、目等を傷つける事があり又手を傷つける事もある、畑作除草においても、マムシ等から手を噛まれる事も殆どない。
【発明を実施するための最良の形態】
【００１３】
本発明の中耕用根引き除草鍬は畑作畝及び稲作水田の泥田の中でも容易に使える手道具であり人の手の延長と見做し人間性を尊重して中耕除草作業を行ううえで、原動力、操作部等を一切装着せず軽量化を図り、効率の良い除草作業が行える構造にし、握り柄５の先端に嵌合可能な柄取付金具４を介し、一定の角度で支持板２を設け支持板２より延設された棒状の鋤捧１を一定の間隔で複数本配列し、複数本から構成する連装鋤６を形成した、雑草等の種類及び作業目的により各寸法は条件下で異なる為幅を持って、鋤棒１の太さは３．５ｍｍ以上から１０ｍｍ以下として長さを５０ｍｍから４００ｍｍ以下とする鋤棒１の連装間隔は２ｍｍを超えるもので２０ｍｍ以下として並べた物である、図５に示す様に取り付けた握り柄５の長さを１８００ｍｍ以下として角度は、特に限定しないが連装鋤６との内角を人の身長を考慮して約４５度付近で取り付けることにより、連装鋤６の先端が地表面に対し浅い角度、両手で持った握り柄５の高さで土面の入射角を定め本体が泥田の中での沈み分を考慮して約０度から３０度で土面に差し入れ後方へ引き込み本体を滑らす事で、地表面を浅く殺ぐ形になり、稲作水田で鍬の刃板部を櫛状の連装鋤６を設けることにより水中下の中耕根引き除草及び畑作畝の、中耕根引き除草が実現した。
【実施例】
【００１４】
本発明の中耕用根引き除草鍬で除草作業を行う上で、水田水中下の泥と畑作畝の乾燥した土の移動率について、請求項１に示す発明の中耕用根引き除草鍬は、図４に示す様に雑草の前に本体の連装鋤６を当てがい、地表面を浅く殺ぐ様に、両手で持った握り柄５の高さで土面入射角度を決めて、後方に引き込む、この時連装鋤６の複数本から構成される鋤捧１の先端は、泥および土を掻き分けながら草根を引き掛け、根の付いた雑草は複数本の連装鋤６の上に泥及び土と一緒に追い遣られ、草根は連装鋤６の鋤捧１で捕らえ、泥は水で洗われ土は鋤棒１の間にて、揮い落とされ、根付の雑草は、泥及び土と分離される、この時連装鋤６の移動により、連装鋤６の幅分の除草と、泥及び土を鋤起すが、この時の泥及び土の移動率は、鋤棒１の直径が約５ミリと仮定しても、泥及び土は鋤棒１の脇をすり抜ける為、泥及び土の移動率は極めて少なく、板状の刃を有する鍬等の中耕作業などと比べると、極端に少なくなる、したがって作業労力を大幅に軽減する。
【００１５】
鋤捧１先端部は土を鋤起せて且草の根が挽きかかる構造にして、鋤捧１先端の先端部の断面は図３に示す様に半球１２状あるいは断面の角を取り１３、又は三角錐１４状に角を立てるか、先端は鋤１の軸より細くしておけばよい、土に食い込みやすく、土との摩擦抵抗を少なくなり、除草作業をしながら地表面の土及び泥をも反転させる、なお鍬全体を軽量にする為と連装鋤６先端の対磨耗性を良くする為、必要により熱処理等を施し本体の強化を図る事も肝要である。
【００１６】
立ち姿勢の作業者が持つ握り柄５は、稲作水田の水中除草及び畑作畝の中耕除草作業において連装鋤６の方向性を確実に支持し、大きくて根が抜け難い雑草は握り柄５を上下に揺らして根を抜き取る、握り柄５と櫛状の連装鋤６は水中除草及び畑作畝においてスピーディーに中耕根引き除草作業を支持いたします。
【００１７】
稲作の除草剤は前期、中期、後期と三段階に分かれる、一般的には中期の一発処理形であるが雑草の多いところでは、前期、中期と二度散布して雑草の芽生えを抑止しますが、中期の除草剤散布後１５日から３０日頃に、中期の残雑草及び後期の雑草が芽生える、この頃、及び中干し前に本中耕除草鍬の活用により、効率の良い除草が行える、したがって後期の除草剤を使用しなくてよい、こだわりの無農薬米、つくりの水田では早期の除草が効果的である。
【００１８】
使用例稲作水田約１０００平方メートル除草効果について、昨年以前多年草のヒルムシロが少しずつ密生的に蔓延り後期の除草剤を使わず昨年本発明品による中耕根引き除草を田植え後３０日頃に試みた結果本年のヒルムシロの発芽率は５パーセント以下に減少した、又セリにおいては田植えの直前の中耕根引き除草の結果本年の発芽はなかった。
【産業上の利用可能性】
【００１９】
稲作水田用の初期及び中期の除草剤は色々市販されていますが、除草効果を上げる為には水管理及び気温等々の一定の条件を全て満たさないと除草効果が得られず、水田全体及び一部分に稗等の雑草が異常に発生する事もあり、この頃になると後期除草剤での稗、クサネム、クログワイ等の根絶は難しく、またトラッター等のロータリー耕耘による多年生雑草のクログワイ、ヒルムシロ等の根茎を分散し広範囲化が進んでおり、時間と手間を掛けた手作業による除草作業を余儀なく行われている、その手助けとして本中耕用根引き除草鍬の発明に至った。
【図面の簡単な説明】
【００２０】
【図１】実施例の斜視図
【図２】同上の拡大切欠側面図
【図３】実施例同上の鋤棒１一部拡大切欠側面図
【図４】同上の使用状態の拡大側面図
【図５】同上の使用状態の側面図
【図６】本体側面図
【図７】本体平面図
【図８】本体拡大切欠背面図
【図９】本体拡大切欠正面図
【符号の説明】
【００２１】
１  鋤棒
２  支持板
３  作物安全ガイド
４  柄取付金具
５  握り柄
６  連装鋤
７  頭部
８  着脱刃物
９  着脱刃物取付ビス穴
１０  着脱刃物取付ネジ穴
１１  刃物着脱用取付ボルト
１２  実施例鋤棒先端形状
１３  実施例鋤棒先端形状
１４  実施例鋤棒先端形状
１５  雑草
１６  引起された雑草
１７  引き抜かれた雑草
１８  鋤起された土
１９  土
２０  稲
２１  土面接触側
【図１】
2010104243.tif 000003
【図２】
2010104243.tif 000004
【図３】
2010104243.tif 000005
【図４】
2010104243.tif 000006
【図５】
2010104243.tif 000007
【図６】
2010104243.tif 000008
【図７】
2010104243.tif 000009
【図８】
2010104243.tif 000010
【図９】
2010104243.tif 000011